(57)【要約】【課題】  表示付き非接触ＩＣカードにおいて非接触ＩＣチップ内の情報を表示するにあたり、非接触ＩＣチップがデータ出力のための端子を持たない構造であっても、同チップ内の情報を容易に取り出し、表示可能な表示付き非接触ＩＣカードを提供する。【解決手段】  表示素子２１、ＣＰＵ２６、電池２７などからなる表示モジュール２０にリーダライタ機能を有する通信ＩＣチップ２５を設け、通信ＩＣチップ２５は非接触または有線による通信により非接触ＩＣチップ１１から情報を読み取り、非接触ＩＣチップ１１内の情報を表示することを可能とする。【選択図】  図２
2010257159.tif 000002
【特許請求の範囲】
【請求項１】
非接触通信可能な非接触ＩＣチップと、
前記非接触ＩＣチップ内の情報を表示する表示モジュールと、
からなる表示付き非接触ＩＣカードであって、
前記表示モジュールは、前記非接触ＩＣチップとカード内で通信可能な通信用ＩＣチップを有することを特徴とする表示付き非接触ＩＣカード。
【請求項２】
前記通信用ＩＣチップは、前記非接触ＩＣチップと非接触通信により通信可能であることを特徴とする請求項１に記載の表示付き非接触ＩＣカード。
【請求項３】
前記通信用ＩＣチップは、前記非接触ＩＣチップのアンテナと有線通信により通信可能であることを特徴とする請求項１に記載の表示付き非接触ＩＣカード。
【請求項４】
前記通信用ＩＣチップはＮＦＣ規格のＩＣチップであることを特徴とする請求項１〜３の何れかに記載の表示付き非接触ＩＣカード。
【発明の詳細な説明】
【技術分野】
【０００１】
本発明は、非接触通信用のＩＣチップや同チップ内の情報を表示するための表示部を搭載する非接触ＩＣカードに関する。
【背景技術】
【０００２】
近年、非接触ＩＣカードの利用が飛躍的に増加してきており、様々な分野に利用されている。非接触ＩＣカードは、かざすだけで情報の授受が行なわれる利便性から、既に、物品購入や交通機関の入退管理などの用途で広く普及しており、さらに、最近では、情報の授受を行うだけでなく、表示デバイスを搭載し、ＩＣカード用チップに記録されている情報を表示させる表示機能を有するＩＣカードも登場している。
表示機能付きＩＣカードは、薄く折り曲げに耐えるディスプレイ素子や、これを制御するＩＣチップ等で構成され、ディスプレイ素子は電子的に書き換えが可能であり、かつ、メモリ性（表示持続性）を持ち、電力供給なしで表示を長時間維持する機能を有する。
【０００３】
非接触ＩＣカードに表示機能を搭載する試みは種々提案されており、特許文献１は、表示機能を搭載した非接触ＩＣカードにおける表示情報の取得技術に関して開示し、特許文献２は、接触型および非接触型のＩＣカードに表示機能を搭載したカードに言及している。
【特許文献１】特開平１０−１５４２１５号公報
【特許文献２】特開２００４−１０２３８４号公報
【０００４】
ところが通常の非接触ＩＣチップは、非接触通信以外のデータ出力端子を持たず、したがって、ＩＣカード内で非接触ＩＣチップから表示のためのデータを取得するのは困難であるため、非接触カードに表示機能を搭載する場合は、接触／非接触両用の機能を持つ「デュアル」と呼ばれるＩＣチップを用いる、あるいは、表示機能のために別に接触端子を設ける、などの手段を用いていた。
【０００５】
また、デュアルチップも、チップの仕様上、ＩＣチップ内の接触部と非接触部は同時動作ができず、またメモリの共有もできないことから、表示付きＩＣカードとしては制約の多いものとならざるを得なかった。
【発明の開示】
【発明が解決しようとする課題】
【０００６】
そこで、本発明は、データ出力端子を持たない非接触ＩＣチップを用いたカードであっても、非接触ＩＣチップからデータを読み出し、チップ内の情報を表示可能とするような表示付き非接触ＩＣカードを提供することを課題とする。
【課題を解決するための手段】
【０００７】
本発明の表示付き非接触ＩＣカードは、非接触通信可能な非接触ＩＣチップと、
前記非接触ＩＣチップ内の情報を表示する表示モジュールと、
からなる表示付き非接触ＩＣカードであって、
前記表示モジュールは、前記非接触ＩＣチップとカード内で通信可能な通信用ＩＣチップを有することを特徴とする。
【０００８】
前記通信用ＩＣチップには通信用アンテナが接続され、非接触通信により前記非接触ＩＣチップと通信することを特徴とする。
また、前記通信用ＩＣチップは、前記非接触ＩＣチップのアンテナと有線通信により通信可能であることを特徴とする。
【０００９】
上記機能を有する非接触ＩＣカードは、前記通信用ＩＣチップにＮＦＣ規格のＩＣチップを用いることにより実現可能である。
なお、ＮＦＣ規格とはＩＳＯ１８０９２に規定された１３．５６ＭＨｚ帯の近距離無線通信規格であり、ＮＦＣ規格のＩＣチップは同規格に準拠し、非接触ＩＣカードとして動作するカード機能、非接触ＩＣカードと通信可能なリーダライタとして動作するリーダライタ機能、相互に通信可能な通信端末として動作する端末機能を持つ。
【発明の効果】
【００１０】
本発明によれば、非接触ＩＣチップが持つ情報を表示する表示付き非接触ＩＣカードを、いわゆる汎用品を用いて構成することができ、極めて安価に製造することが可能となる。
【発明を実施するための最良の形態】
【００１１】
図1は、本発明の表示付き非接触ＩＣカードの構成図である。
表示付き非接触ＩＣカード１は、カードの内部に非接触ＩＣチップ１１とアンテナ１２を持ち、非接触ＩＣチップ１１はアンテナ１２を介して外部のリーダライタと通信を行なうことにより、いわゆる「非接触ＩＣカード」としての機能を果たす。
【００１２】
また、表示付き非接触ＩＣカード１は、さらに非接触ＩＣチップ１１が持つ情報を読み取り表示する表示モジュール２０を内蔵する。表示モジュール２０は、非接触ＩＣチップ１１が持つ情報を読み出し可視情報として表示するためのものであり、表示素子２１および表示素子２１を駆動する表示ドライバ２２の他、非接触ＩＣチップ１１との通信を行ない非接触ＩＣチップ１１から情報を読み取る通信ＩＣチップ２５、読み取った情報から表示用データを生成するＣＰＵ２６、プログラムやデータを格納するメモリ２７、表示動作を起動するスイッチ２３などからなる。
さらに、図１の例では、通信ＩＣチップ２５は内部通信用アンテナ２８に接続され、内部通信用アンテナ２８がアンテナ１２と電磁結合することにより、通信ＩＣチップ２５と非接触ＩＣチップ１１が表示付き非接触ＩＣカード１の内部で交信可能となっている。
【００１３】
なお、図１では、表示モジュール２０が作動するための電力は電池２４から供給されることとしており、表示モジュール動作時は比較的大きな電力を要すること、および、カードに実装されることを勘案して、電池２４としては、薄型ポリマー１次電池のようなものを想定しているが、これに限らず、充電可能な２次電池あるいは太陽電池のようなものであってもよい。
【００１４】
表示付き非接触ＩＣカード１は、これらの部品を回路基板１０に配置し、基材５で封止の上、カード形状に加工したものである。なお、図１は、部品類のうち、表示素子２１およびスイッチ２３がカード表面に露出し、他の部品は隠蔽された様態を示している。
【００１５】
図２は、図1で例示した表示付き非接触ＩＣカードの機能ブロック図である。
図２では、通信ＩＣチップ２５は内部通信用アンテナ２８に接続され、非接触ＩＣチップ１１と非接触による通信を行なう形態を表わしている。
表示モジュール２０を構成する各部品のうち、表示素子２１は、可撓性を持つ薄型の表示素子であればよいが、さらに強誘電性液晶やマイクロカプセル電気永動方式などメモリ性を持つ電子ペーパーとも呼ばれる表示素子であれば、電源を遮断しても表示状態を維持することができ、電池２４の消耗を防げるので好ましい。表示ドライバ２２は、ＣＰＵ２６が出力する表示情報を、表示素子２１の二次元配列の各画素を駆動するための信号に変換する。スイッチ２３は、表示モジュール２０の起動のキッカケを与えるもので、ＣＰＵ２６はスイッチ２３からトリガーを受けるとメモリ２７に格納されたプログラムにしたがって表示モジュール２０全体を制御する。
【００１６】
通信ＩＣチップ２５は、内部通信アンテナ２８を介して非接触通信により非接触ＩＣチップ１１内の情報を読み取る。すなわち、通信ＩＣチップ２５は、内部通信アンテナ２８と組になり、リーダライタとしての機能を果たすことになる。例えば、非接触ＩＣチップ１１がＩＳＯ１４４４３に準拠した仕様を持つものであるとすると、通信ＩＣチップ２５はＩＳＯ１４４４３準拠のプロトコルに対応したリーダライタ用チップであればよい。すなわち、通信ＩＣチップ２５は、ＩＳＯ１４４４３準拠の非接触ＩＣチップ１１と、１３．５６ＭＨｚのキャリア周波数でＡＳＫ変調（Ａｍｐｌｉｔｕｄｅ  Ｓｈｉｆｔ  Ｋｅｙｉｎｇ：振幅偏移変調）方式により通信を行なうこととなる。このようなチップとしてはＩＳＯ１８０９２に規定されるＮＦＣ規格のチップがあり、同チップを用いることにより、カードの内部で非接触ＩＣチップ１１より情報を読み取ることが可能となる。
【００１７】
なお、ＮＦＣ規格では、リーダライタとしての機能の他に、カード機能および端末間通信機能も規定しており、したがって通信ＩＣチップ２５がＮＦＣ準拠であれば、例えば端末間通信機能を用いてＮＦＣ機能を搭載する外部端末との間で交信することが可能となる。そこで、通信ＩＣチップ２５にＮＦＣ準拠を利用すれば、非接触ＩＣチップ１１の情報を読み取り表示するばかりでなく、外部からの情報を直接表示する、表示モジュールのプログラムやデータを書き換える、などの多様な機能が実現できる。
【００１８】
図３は、図２の構成における、表示時の動作フロー図である。
表示付き非接触ＩＣカード１の表示はスイッチ２３を押すことから始まる。スイッチ２３が押されると（Ｓ１０）、ＣＰＵが起動し（Ｓ１１）、同時に、通信ＩＣチップ２５、表示ドライバ２２、表示素子２１等も立ち上がる。続いて、通信ＩＣチップ２５がＮＦＣ準拠であるような場合には、ＣＰＵ２６は通信ＩＣチップ２５をリーダライタモードに設定し（Ｓ１２）、データ取得処理を開始する（Ｓ１３）。
【００１９】
リーダライタモード（Ｓ２２）で動作する通信ＩＣチップ２５は、非接触ＩＣチップ１１に対して、通信開始（Ｓ２３）とともに、読み取り動作を行ないデータを受信する（Ｓ２４）。ＣＰＵ２６は、通信ＩＣチップ２５からデータを受け（Ｓ２５）、続いて表示のための処理に移り（Ｓ１４）、必要に応じて表示用データへの加工を施す。表示用データへの加工とは、例えば、交通チケットとしての利用では、通信ＩＣチップ２５から読み取った駅名コードを文字コードに変換する、といったことである。
【００２０】
次に、表示用データは表示ドライバ２２に送られ（Ｓ４１）、ここで表示ドライバ２２は表示素子２１の表示仕様に合わせたデータを生成する（Ｓ４２）。表示データ生成とは、例えば、文字コードで表わされる表示用データを、表示素子２１の二次元配列の各画素を駆動するための信号に変換するようなことである。表示データは表示素子２１に送信され（Ｓ４３）、表示素子２１に表示される（Ｓ５１）。なお、この時点で各素子の動作は終了するが（Ｓ１５）、表示素子２１がメモリ性の表示素子であれば、表示の状態は維持される。
【００２１】
図４は、図２と異なる形態の表示付き非接触ＩＣカードの機能ブロック図である。
図に示すように、表示付き非接触ＩＣカード１は、通信ＩＣチップ２５は、内部通信用アンテナ２８ではなく、アンテナ１２に直に接続される。すなわち、通信ＩＣチップ２５は、非接触ＩＣチップ１１と有線で交信し、リーダライタとして働く。このような有線による通信であっても、通信ＩＣチップ２５は、ＩＳＯ１４４４３準拠の非接触ＩＣチップ１１と、１３．５６ＭＨｚのキャリア周波数でＡＳＫ変調方式により通信を行なうこととなる。したがって、このときの表示モジュール２０の動作は、図３のフローと同一になる。
【００２２】
以上、本発明の表示付き非接触ＩＣカードは、非接触ＩＣチップが持つ情報をカード券面に表示するに当たり、非接触ＩＣチップにデータ出力のための端子を設けることなく、すなわち、汎用の非接触ＩＣチップからデータを取り出すことができ、かつ、読み出すための通信ＩＣチップも汎用のものを使用することができるため、極めて低廉に製造することが可能となる。
【図面の簡単な説明】
【００２３】
【図１】表示付き非接触ＩＣカードの構成図
【図２】表示付き非接触ＩＣカードの機能ブロック図
【図３】表示操作時の動作フロー図
【図４】他の形態の表示付き非接触ＩＣカードの機能ブロック図
【符号の説明】
【００２４】
１    表示付きＩＣカード
５    基材
１０    回路基板
１１    非接触ＩＣチップ
１２    アンテナ
２０    表示モジュール
２１    表示素子
２２    表示ドライバ
２５    通信ＩＣチップ
２６    ＣＰＵ
２８    内部通信用アンテナ
【図１】
2010257159.tif 000003
【図２】
2010257159.tif 000004
【図３】
2010257159.tif 000005
【図４】
2010257159.tif 000006